(57)【特許請求の範囲】
【請求項１】
枠と、枠に支持された戸と、戸の施錠装置とを備え、施錠装置は、戸より突出して枠に係合する施錠位置と戸に没入する解錠位置とに移動可能な耐火性金属よりなるロッド棒と、ロッド棒を突出方向に付勢する耐火性金属よりなる付勢部材と、ロッド棒と連結されロッド棒を施錠位置と解錠位置とに移動操作可能な樹脂製の操作部と、操作部と離間して戸に設けられロッド棒をガイドする耐火性金属よりなるスライドガイド具とを有し、火災の熱で操作部が溶融するとロッド棒が付勢部材の付勢力により施錠位置に移動することを特徴とする建具。
【請求項２】
枠と、枠に支持された戸と、戸の施錠装置とを備え、施錠装置は、戸より突出して枠に係合する施錠位置と戸に没入する解錠位置とに移動可能な耐火性金属よりなるロッド棒と、ロッド棒を突出方向に付勢する耐火性金属よりなる付勢部材と、ロッド棒と連結されロッド棒を施錠位置と解錠位置とに移動操作可能な操作部と、ロッド棒を操作部に連結する樹脂製の連結部材と、操作部と離間して戸に設けられロッド棒をガイドする耐火性金属よりなるスライドガイド具とを有し、火災の熱で連結部材が溶融するとロッド棒が操作部と切り離されて付勢部材の付勢力により施錠位置に移動することを特徴とする建具。
【発明の詳細な説明】
【技術分野】
【０００１】
本発明は、火災時に戸を閉鎖状態に拘束する建具に関する。
【背景技術】
【０００２】
火災時に、扉や障子等の戸の施錠部品が火災の熱によって破損すると、戸が枠から外れて延焼に繋がるおそれがある。特許文献１には、障子の側面に取付けたベース部６１と、ベース部に挿通して出没可能に設けた棒状の突没部材６３と、突没部材を突出方向に付勢するコイルバネ６４と、突没部材の突出移動を規制する熱可塑性材料からなる規制部材６５とを備え、火災が発生すると規制部材６５が火災の熱により塑性変形して規制が外れることで突没部材６３が突出し、突出した突没部材６３が枠に設けた係止部６２に係止することで障子が枠から外れるのを防止する建具が記載されている。
上記の施錠装置は、火災が発生したときにだけ作動する非常用のもので、通常は突没部材の突出が規制部材により規制されており、突没部材を手動で動かすための操作部も備えていないので、日常的な戸の施解錠に用いることはできず、施錠装置を別に設ける必要があった。  
【先行技術文献】
【特許文献】
【０００３】
【特許文献１】特許第４４９４３４９号公報
【発明の概要】
【発明が解決しようとする課題】
【０００４】
本発明は以上に述べた実情に鑑み、日常的に施解錠操作が行えると共に、火災時には操作状況にかかわらず戸を施錠状態に維持できる施錠装置を備えた建具の提供を目的とする。
【課題を解決するための手段】
【０００５】
上記の課題を達成するために請求項１記載の発明による建具は、枠と、枠に支持された戸と、戸の施錠装置とを備え、施錠装置は、戸より突出して枠に係合する施錠位置と戸に没入する解錠位置とに移動可能な耐火性金属よりなるロッド棒と、ロッド棒を突出方向に付勢する耐火性金属よりなる付勢部材と、ロッド棒と連結されロッド棒を施錠位置と解錠位置とに移動操作可能な樹脂製の操作部と、操作部と離間して戸に設けられロッド棒をガイドする耐火性金属よりなるスライドガイド具とを有し、火災の熱で操作部が溶融するとロッド棒が付勢部材の付勢力により施錠位置に移動することを特徴とする。「耐火性金属」とは、火災の熱によって容易に溶融しない金属であって、具体的には鋼、ステンレス鋼、黄銅、もしくは融点がこれらと同等以上の金属をいう。
【０００６】
請求項２記載の発明による建具は、枠と、枠に支持された戸と、戸の施錠装置とを備え、施錠装置は、戸より突出して枠に係合する施錠位置と戸に没入する解錠位置とに移動可能な耐火性金属よりなるロッド棒と、ロッド棒を突出方向に付勢する耐火性金属よりなる付勢部材と、ロッド棒と連結されロッド棒を施錠位置と解錠位置とに移動操作可能な操作部と、ロッド棒を操作部に連結する樹脂製の連結部材と、操作部と離間して戸に設けられロッド棒をガイドする耐火性金属よりなるスライドガイド具とを有し、火災の熱で連結部材が溶融するとロッド棒が操作部と切り離されて付勢部材の付勢力により施錠位置に移動することを特徴とする。
【発明の効果】
【０００７】
請求項１記載の発明による建具は、操作部を操作することで日常的に戸の施解錠が行えると共に、火災が発生すると樹脂製の操作部が火災の熱により溶融し、ロッド棒が付勢部材の付勢力により施錠位置に移動して枠と係合するため、操作部の操作状況にかかわらず戸を施錠状態に維持して延焼を防止できる。また、操作部と離間してロッド棒をガイドする耐火性金属よりなるスライドガイド具を戸に設けたので、火災時にも戸をがたつき無く施錠できる。操作部を樹脂製とすることで、コストを削減できる。
【０００８】
請求項２記載の発明による建具は、操作部を操作することで日常的に戸の施解錠が行えると共に、火災が発生するとロッド棒を操作部に繋いでいる樹脂製の連結部材が火災の熱により溶融し、ロッド棒が操作部と切り離されて付勢部材の付勢力により施錠位置に移動して枠と係合するため、操作部の操作状況にかかわらず戸を施錠状態に維持して延焼を防止できる。また、操作部と離間してロッド棒をガイドする耐火性金属よりなるスライドガイド具を戸に設けたので、火災時にも戸をがたつき無く施錠できる。
【図面の簡単な説明】
【０００９】
【図１】本発明の施錠装置の動作を示す子ドアの戸先側上部の縦断面図であって、（ａ）は通常の施錠状態、（ｂ）は通常の解錠状態、（ｃ）は火災時の施錠状態を示す。
【図２】本発明の建具の一実施形態に係る玄関ドアの室外側正面図である。
【図３】（ａ）は子ドアの戸先側上部の縦断面図、（ｂ）はその戸先側側面図（何れも通常の施錠状態）である。
【図４】（ａ）は子ドアの戸先側下部の縦断面図、（ｂ）はその戸先側側面図（何れも通常の施錠状態）である。
【図５】本発明の施錠装置の他の実施形態を示す図であって、（ａ）は子ドアの戸先側上部の縦断面図、（ｂ）はその戸先側側面図（何れも通常の施錠状態）である。
【図６】本発明の施錠装置のさらに別の実施形態を示す子ドアの戸先側上部の縦断面図であって、（ａ）は通常の施錠状態、（ｂ）は通常の解錠状態、（ｃ）は火災時の施錠状態を示す。
【発明を実施するための形態】
【００１０】
以下、本発明の実施の形態を図面に基づいて説明する。図２は、本発明の建具の一実施形態に係る玄関ドアを示している。本玄関ドアは、上枠１０と下枠１１と左右の竪枠１２ａ，１２ｂを枠組みしてなる枠１と、一方の竪枠１２ａに蝶番１３で開閉自在に取付けた親ドア１４と、他方の竪枠１２ｂに蝶番１３で開閉自在に取付けた子ドア２とを備える。子ドア２は、戸先側の上部と下部とに、ロッド棒４を上枠１０と下枠１１とにそれぞれ係合することにより子ドア２を施錠するフランス落とし錠３ａ，３ｂを備えている。親ドア１４は、戸先側に上下２つの本締り錠３３，３３を備え、本締り錠３３のデッドボルトを子ドア２の戸先側面に設けた錠受けに係合することにより施錠される。
【００１１】
図３は、上側のフランス落とし錠３ａを示している。子ドア２は、アルミ押出形材よりなる中空の戸先框１５を有し、フランス落とし錠３ａは戸先框１５に収納して設けてある。フランス落とし錠３ａは、上下動するロッド棒４と、ロッド棒４をガイドするスライドガイド具７と、ロッド棒４を子ドア２より突出する方向（上向き）に付勢するコイルバネ５と、ロッド棒４を上下に動かすための操作部６とを備える。
ロッド棒４は、ステンレス鋼の丸棒で形成してあり、上枠１０の受け穴１６に抜き差しされる際に金属音が生じるのを防ぐために先端部に樹脂製のカバー３４が装着してある。ロッド棒４のカバー３４の下側には溝１７が形成され、その溝１７に嵌めてＥリング１８が取付けてある。ロッド棒４の末端部には、雄ねじ部１９が形成されている。
操作部６は、戸先框１５の戸先側見込み面にねじ２０で取付けられるベース部２１と、ベース部２１に水平軸２２で軸支したレバー２３と、レバー２３の操作により上下にスライドするスライド部２８とを有している。操作部６は、全体がナイロン等の樹脂で形成してある。スライド部２８には、ロッド棒４末端部の雄ねじ部１９が捩じ込まれる雌ねじ穴２９が形成されている。
スライドガイド具７は、ステンレス鋼の板をコの字形に折り曲げて形成され、上下の壁にロッド棒４を挿通する孔２４ａ，２４ｂが形成してある。スライドガイド具７は、戸先框１５の中空部内に操作部６と離間して配置され、ねじ２５で戸先框１５に固定してある。
コイルバネ５は、ステンレス鋼で形成したものであり、ロッド棒４の周囲に嵌めてＥリング１８とスライドガイド具７との間に縮めた状態でセットしてある。
戸先框１５の上端部には樹脂製のキャップ２６が取付けてあり、キャップ２６に形成したガイド孔２７にロッド棒４を挿通することにより、ロッド棒４の振れを規制している。
図３に示すように、操作部６のレバー２３を下側に倒した状態では、ロッド棒４の先端部が子ドア２の上面より突出し、上枠１０に設けた受け孔１６に係合している。図１（ｂ）に示すように、操作部６のレバー２３を上側に倒すと、操作部６のスライド部２８が下方にスライドし、ロッド棒４はそれに引っ張られてコイルバネ５が圧縮されつつ下方にスライドし、上枠１０の受け孔１６から抜けて戸先框１５内に没する。なお、受け孔１６はステンレス鋼により形成してある。
【００１２】
下側のフランス落とし錠３ｂは、図４に示すように、上側のフランス落とし錠３ａを上下逆にしただけで、構造的には同じものである。同図に示すように、操作部６のレバー２３を上側に倒すと、ロッド棒４の先端部が子ドア２の下面より突出し、下枠１１に設けた受け孔１６に係合する。操作部６のレバー２３を下側に倒すと、コイルバネ５が圧縮されつつロッド棒４が上方にスライドし、下枠１１の受け孔１６から抜けて戸先框１５内に没する。
【００１３】
本フランス落とし錠３ａ，３ｂは、図１（ａ），（ｂ）に示すように、操作部６のレバー２３を上下に動かすことで、ロッド棒４を子ドア２の上下面より出没させ、ロッド棒４を上下枠１０，１１の受け孔１６に係脱させることで、子ドア２の施解錠が行える。火災時には、図１（ｃ）に示すように、樹脂で形成された操作部６が火災の熱で溶けて消失し、ロッド棒４の末端部がフリーになるため、ロッド棒４がコイルバネ５の付勢力により子ドア２の上下面より突出して上下枠１０，１１の受け孔１６に係合し、子ドア２の施錠状態が維持される。この機能は、火災になる前にフランス落とし錠３ａ，３ｂが施錠状態であったときはもちろん、解錠状態であったときでも働き、子ドア２を自動的に施錠することができる。また、火災時には戸先框１５の端部に嵌めたキャップ２６が火災の熱で溶けて消失するが、ロッド棒４がステンレス鋼製のスライドガイド具７に挿通してガイドされているため、ロッド棒４の振れを規制して子ドア２のがたつきを防止できる。
【００１４】
以上に述べたように本フランス落とし錠３ａ，３ｂは、従来のものと同様にレバー２３を上下に倒すことで子ドア２の施解錠が行え、火災時にはレバー２３の操作状況に関わらず、コイルバネ５の付勢力によりロッド棒４を突出させて、子ドア２を確実に施錠することができる。これにより、子ドア２が開いて延焼が拡大するのを防止できる。また、ロッド棒４がステンレス鋼よりなるスライドガイド具７でガイドされているため、火災時でもロッド棒４の振れが規制され、子ドア２のがたつきを防止できる。本フランス落とし錠３ａ，３ｂは、従来のものにコイルバネ５とスライドガイド具７とＥリング１８を付加するだけで、簡単に耐火機能を持たせることができ、既存のフランス落とし錠に後からこれらの部品を追加して耐火仕様とすることも容易である。また、操作部６全体を樹脂製とすることで、コストを大幅に削減できる。
【００１５】
上述の実施形態では、操作部６全体を樹脂製としていたが、操作部６のうちロッド棒４と連結されるスライド部２８のみを樹脂製とし、他の部分を亜鉛等の金属で形成することもできる。その場合も、通常時は操作部６のレバー２３を操作して施解錠が行え、火災時にはスライド部２８が火災の熱で溶融することでロッド棒４が操作部６から切り離され、コイルバネ５によりロッド棒４が突出するため、子ドア２を施錠できる。
【００１６】
図５は、本発明の施錠装置の他の実施形態を示している。先に説明した実施形態と異なる点は、ロッド棒４のＥリング１８とスライドガイド具７との間に、コイルバネ５の代わりにステンレス鋼製の板バネ３０を設けている点である。この場合も、樹脂製の操作部６が火災の熱で溶けて消失すると、板バネ３０が伸びてロッド棒４が突出し、子ドア２を施錠状態に維持できる。
【００１７】
図６は、本発明の施錠装置のさらに別の実施形態を示している。本実施形態は、操作部６全体が亜鉛等の金属で形成され、ロッド棒４の末端部を樹脂製の連結部材８を介して操作部６のスライド部２８に連結してある。連結部材８は、一端側にロッド棒４の雄ねじ部１９が螺合する雌ねじ穴３１を有し、他端側に操作部６のスライド部２８に形成された雌ねじ穴２９に螺合する雄ねじ部３１を有するものとなっている。
本実施形態のものでも、図６（ａ），（ｂ）に示すように、操作部６のレバー２３を上下に倒すことでロッド棒４が子ドア２から出没し施解錠が行えると共に、火災時には図６（ｃ）に示すように、連結部材８が火災の熱で溶けてロッド棒４が操作部６と切り離され、ロッド棒４がコイルバネ５の付勢力により突出し、施錠状態を維持できる。このように、樹脂製の連結部材８を介在させることで、金属製の操作部６を備える既存のフランス落とし錠に、火災時に自動的に施錠される機能を付加することができる。
【００１８】
本発明は以上に述べた実施形態に限定されない。操作部６の形態は任意であり、レバー２３を上下に回動させるものに限らず、上下にスライドさせる構造であってもよい。操作部６は、戸先側の見込み面に限らず、戸の見付け面に設けることもできる。スライドガイド具７と操作部６との間の距離は小さくてもよい。戸は、引戸であってもよい。
【符号の説明】
【００１９】
１  枠
２  子ドア（戸）
３ａ，３ｂ  フランス落とし錠（施錠装置）
４  ロッド棒
５  コイルバネ（付勢部材）
６  操作部
７  スライドガイド具
８  連結部材
３０  板バネ（付勢部材）
【図１】
0005465150.tif 000002
【図２】
0005465150.tif 000003
【図３】
0005465150.tif 000004
【図４】
0005465150.tif 000005
【図５】
0005465150.tif 000006
【図６】
0005465150.tif 000007